(57)【要約】      （修正有）【課題】紙葉類の厚さによる紙葉類センサの誤検知を未然に防ぎ、紙葉類検知の信頼性の向上を図る紙葉類センサの調整方法を提供する。【解決手段】発光素子と受光素子の間にサーマル用紙４が有る状態で、動作電流Ｉを増大させ、発光が受光素子に届いて出力電圧Ｖが受光レベルとなったとき、動作電流ＩをＩ１として記憶する。さらに、出力電圧Ｖが受光レベルとなる直前の出力電圧ＶをＶ１として記憶する。続いて、発光素子と受光素子との間にサーマル用紙が無い状態で、動作電流ＩをＩ１から減少させ、発光が受光素子に届かなくなり出力電圧Ｖが非受光レベルとなったとき、動作電流ＩをＩ２として記憶する。さらに、出力電圧Ｖが非受光レベルとなる直前の出力電圧ＶをＶ２として記憶する。そして、発光素子の通常動作時の動作電流ＩをＩ１，Ｉ２の範囲内に設定し、かつ受光素子の出力電圧Ｖに対する用紙判定用の基準電圧ＶｓをＶ１，Ｖ２の範囲内に設定する。【選択図】図３
2010215375.tif 000002
【特許請求の範囲】
【請求項１】
紙葉類の搬送路を挟んで相対向する発光素子および受光素子により紙葉類を光学的に検知する紙葉類センサを備えたものにおいて、
前記発光素子と前記受光素子との間に前記紙葉類が有る状態で、前記発光素子の動作電流Ｉを増大させていき、前記発光素子の光が前記受光素子に届いて同受光素子の出力電圧Ｖが受光レベルＶｘとなったとき、そのときの動作電流ＩをＩ１として記憶する第１手順と、
前記受光素子の出力電圧Ｖが前記受光レベルＶｘとなる直前の同受光素子の出力電圧ＶをＶ１として記憶する第２手順と、
前記発光素子と前記受光素子との間に前記紙葉類が無い状態で、前記発光素子の動作電流Ｉを前記Ｉ１から減少させていき、前記受光素子の光が前記受光素子に届かなくなって同受光素子の出力電圧Ｖが非受光レベルＶｙとなったとき、そのときの動作電流ＩをＩ２として記憶する第３手順と、
前記受光素子の出力電圧Ｖが前記非受光レベルＶｙとなる直前の同受光素子の出力電圧ＶをＶ２として記憶する第４手順と、
前記発光素子の通常動作時の動作電流Ｉを前記Ｉ１，Ｉ２の範囲内に設定し、かつ前記受光素子の出力電圧Ｖに対する紙葉類判定用の基準電圧Ｖｓを前記Ｖ１，Ｖ２の範囲内に設定する第５手順と、
を備えることを特徴とする紙葉類センサの調整方法。
【請求項２】
前記第５手順は、前記発光素子の通常動作時の動作電流Ｉを前記Ｉ１と前記Ｉ２の中間値である（Ｉ１＋Ｉ２）／２に設定し、かつ前記受光素子の出力電圧Ｖに対する紙葉類判定用の基準電圧Ｖｓを前記Ｖ１，Ｖ２の中間値である（Ｖ１＋Ｖ２）／２に設定する、
ことを特徴とする請求項１記載の紙葉類センサの調整方法。
【請求項３】
前記紙葉類は、通帳またはサーマル用紙である、
ことを特徴とする請求項１または請求項２に記載の紙葉類センサの調整方法。
【発明の詳細な説明】
【技術分野】
【０００１】
この発明は、紙葉類を光学的に検知する紙葉類センサの調整方法に関する。
【背景技術】
【０００２】
紙葉類へのプリントを行うプリント装置は、紙葉類を光学的に検知する紙葉類センサを備えている。この紙葉類センサは、紙葉類の搬送路を挟んで相対向する発光素子と受光素子からなり、発光素子から発せられた光が受光素子に届いているか否かに応じて受光素子の出力電圧が変化する。
【０００３】
すなわち、発光素子と受光素子との間に紙葉類が無ければ、発光素子の光が受光素子に届き、受光素子の出力電圧が受光レベルとなる。発光素子と受光素子との間に紙葉類が入ると、発光素子の光が紙葉類で遮られて受光素子に届かず、受光素子の出力電圧が非受光レベルとなる。
【０００４】
このような紙葉類センサを有するものとして、例えば特許文献１に記載のものが知られている。
【発明の概要】
【発明が解決しようとする課題】
【０００５】
紙葉類センサの検知対象として、通帳、サーマル用紙、普通紙など、厚さの異なる種々のものがある。厚さの小さい紙葉類の場合、発光素子の光が紙葉類を透過して受光素子に届いてしまうことがある。この場合、発光素子と受光素子との間に紙葉類が有るにもかかわらず、受光素子の出力電圧が受光レベルとなって、紙葉類無しの誤検知を生じる。
【０００６】
この発明は、上記の事情を考慮したもので、紙葉類の厚さによる紙葉類センサの誤検知を未然に防ぐことができ、紙葉類検知の信頼性の向上が図れる紙葉類センサの調整方法を提供することを目的とする。
【課題を解決するための手段】
【０００７】
請求項１に係る発明の紙葉類センサの調整方法は、紙葉類の搬送路を挟んで相対向する発光素子および受光素子により紙葉類を光学的に検知する紙葉類センサを備えたものにおいて、前記発光素子と前記受光素子との間に前記紙葉類が有る状態で、前記発光素子の動作電流Ｉを増大させていき、前記発光素子の光が前記受光素子に届いて同受光素子の出力電圧Ｖが受光レベルＶｘとなったとき、そのときの動作電流ＩをＩ１として記憶する第１手順と、前記受光素子の出力電圧Ｖが前記受光レベルＶｘとなる直前の同受光素子の出力電圧ＶをＶ１として記憶する第２手順と、前記発光素子と前記受光素子との間に前記紙葉類が無い状態で、前記発光素子の動作電流Ｉを前記Ｉ１から減少させていき、前記受光素子の光が前記受光素子に届かなくなって同受光素子の出力電圧Ｖが非受光レベルＶｙとなったとき、そのときの動作電流ＩをＩ２として記憶する第３手順と、前記受光素子の出力電圧Ｖが前記非受光レベルＶｙとなる直前の同受光素子の出力電圧ＶをＶ２として記憶する第４手順と、前記発光素子の通常動作時の動作電流Ｉを前記Ｉ１，Ｉ２の範囲内に設定し、かつ前記受光素子の出力電圧Ｖに対する紙葉類判定用の基準電圧Ｖｓを前記Ｖ１，Ｖ２の範囲内に設定する第５手順と、を備える。
【発明の効果】
【０００８】
この発明の紙葉類センサの調整方法によれば、紙葉類の厚さによる紙葉類センサの誤検知を未然に防ぐことができ、これにより紙葉類検知の信頼性の向上が図れる。
【図面の簡単な説明】
【０００９】
【図１】この発明の一実施形態の全体的な構成を示す図。
【図２】一実施形態の制御回路を示すブロック図。
【図３】一実施形態における用紙センサおよびその周辺回路の構成を示すブロック図。
【図４】一実施形態における発光素子の動作電流Ｉの増大に伴い受光素子の出力電圧Ｖの変化を示す図。
【図５】一実施形態における発光素子の動作電流Ｉの減少に伴い受光素子の出力電圧Ｖの変化を示す図。
【発明を実施するための最良の形態】
【００１０】
以下、この発明の一実施形態について、図面を参照しながら説明する。  
図１において、１はプリント装置で、通帳Ｔの出入口とステートメント用紙の出口を兼ねるフェイシア部２を前面部に有し、用紙セット部３を後面部に有する。この用紙セット部３にロール状に巻かれたサーマル用紙４がセットされる。セットされたサーマル用紙４は、先端部が第１搬送手段５によって引き出され、搬送路６ａに導かれる。この搬送路６ａ上に、サーマルプリント部７および切断部８が配設される。
【００１１】
また、第１搬送手段５に続いて第２搬送手段１０が設けられている。第２搬送手段１０は、上記搬送路６ａに繋がる搬送路６ｂ、この搬送路６ｂに沿って配設された搬送ローラ対１１ａ〜１１ｅ、出入ローラ対１２、およびフィードローラ対１５を有し、フェイシア部２に挿入される通帳Ｔの搬送を行うとともに、搬送路６ａから送られるサーマル用紙４をフェイシア部２に向け搬送する。そして、搬送路６ｂにおける搬送ローラ対１１ａ，１１ｂの相互間に、２４ピンのドットマトリックスヘッド９ａを有するドットプリント部９が配設される。出入ローラ対１２は、フェイシア部２に挿入される通帳Ｔの取込みを行うとともに、プリントが済んだ通帳Ｔやステートメント用紙をフェイシア部２の外に送り出す。
【００１２】
さらに、第２搬送手段１０のサーマル用紙導入側に、紙葉類センサとして用紙センサ２８が設けられている。用紙センサ２８は、プリント対象の紙葉類であるサーマル用紙４を光学的に検知する。第２搬送手段１０における出入ローラ対１２の近傍には、紙葉類センサとして通帳センサ２９が設けられている。通帳センサ２９は、プリント対象の紙葉類である通帳Ｔを光学的に検知する。
【００１３】
上記サーマルプリント部７は、サーマル用紙４の搬送方向に沿う所定間隔の位置に、裏面プリント用のサーマルヘッド１７、および表面プリント用のサーマルヘッド１８を有する。これらサーマルヘッド１７，１８に対し、プラテンローラ２０，２１が回動可能に圧接されている。サーマル用紙４は、サーマルヘッド１７，１８とプラテンローラ２０，２１で挟持搬送されながら、サーマルヘッド１７，１８によって両面に情報がプリントされる。
【００１４】
上記切断部８は、ロータリーカッタ２３を有し、そのロータリーカッタ２３を回転によってサーマル用紙４を切断する。この切断片が、ステートメント用紙となる。このステートメント用紙は、フィードローラ対１４により第２搬送手段１０に送られる。
【００１５】
上記プラテンローラ２０，２１、ロータリーカッタ２３、フィードローラ対１４の駆動用として、モータ２５が設けられている。また、搬送ローラ対１１ａ〜１１ｅ、出入ローラ対１２、フィードローラ対１５の駆動用として、モータ２６が設けられている。
【００１６】
このようなプリント装置１において、用紙セット部３、第１搬送手段５、およびその周辺部により、サーマル用紙４を搬送しながらそのサーマル用紙４へのプリントを行うステートメントプリンタＳＴが構成される。
【００１７】
フィードローラ対１５、第２搬送手段１０、およびその周辺部により、通帳Ｔを搬送しながらその通帳Ｔへのプリントを行いつつ、ステートメントプリンタＳＴのプリント時にサーマル用紙４の搬送も行うパスブックプリンタＰＢが構成される。
【００１８】
制御回路を図２に示す。  
ステートメントプリンタＳＴの制御用およびパスブックプリンタＰＢの制御用として制御部３０が設けられ、この制御部３０にステートメントプリンタＳＴの構成部品およびパスブックプリンタＰＢの構成部品がそれぞれ接続される。さらに、制御部３０に上位装置３１が接続される。
【００１９】
制御部３０は、用紙センサ２８の駆動制御用として、図３に示すセンサ回路を有している。すなわち、ＣＰＵ４０に、制御プログラム記憶用のＲＯＭ４１、データ記憶用のＲＡＭ４２、用紙センサ２８に対する駆動信号出力用のＤ／Ａ（ディジタル／アナログ）コンバータ４３、および用紙センサ２８に対する駆動信号を操作するための操作部４４が接続される。Ｄ／Ａコンバータ４３は、用紙センサ２８に対する動作電流設定用の直流電圧をＣＰＵ４０からの指令に応じて出力するとともに、用紙判定用の基準電圧ＶｓをＣＰＵ４０からの指令に応じて出力する。動作電流設定用の直流電圧は、オペアンプ４４で増幅され、かつ抵抗４５を介して、ＮＰＮ型トランジスタ４６のベース・エミッタ間に印加される。
【００２０】
用紙センサ２８は、サーマル用紙４が搬送される搬送路６ｂを挟んで相対向する発光素子たとえば発光ダイオード２８ａおよび受光素子たとえばフォトトランジスタ２８ｂからなる。発光ダイオード２８ａのアノードは直流電圧５Ｖの正側端子に接続され、発光ダイオード２８ａのカソードは上記トランジスタ４６のコレクタ・エミッタ間および抵抗４７を介してアースされる。フォトトランジスタ２８ｂのコレクタは抵抗４８を介して直流電圧５Ｖの正側端子に接続され、フォトトランジスタ２８ｂのエミッタはアースされる。このフォトトランジスタ２８ｂのコレクタに生じる電圧が、フォトトランジスタ２８ｂの出力電圧Ｖとして、比較器４９の負側入力端に入力されるとともに、ＣＰＵ４０に供給される。
【００２１】
比較器４９の正側入力端には、上記ＣＰＵ４０から出力される基準電圧Ｖｓが入力される。また、比較器４９の出力端が抵抗５０を介して直流電圧３．５Ｖの正側端子に接続され、その出力端と抵抗５０との相互接続点がＣＰＵ４０に接続される。比較器４９は、フォトトランジスタ２８ｂの出力電圧Ｖと基準電圧Ｖｓとを比較し、出力電圧Ｖが基準電圧Ｖｓ以下に低下したとき、サーマル用紙４がある旨の低レベルの電圧信号を出力する。
【００２２】
つぎに、用紙センサ２８の調整方法について説明する。  
初めに、発光ダイオード２８ａとフォトトランジスタ２８ｂとの間にサーマル用紙４をセットしておき、操作部４４の操作により、調整モードを設定する。すると、ＣＰＵ４０からＤ／Ａコンバータ４３への指令により、Ｄ／Ａコンバータ４３から動作電流設定用の直流電圧が出力されてその電圧レベルが徐々に増大していく。この直流電圧は、オペアンプ４４で増幅されてトランジスタ４６のベース・エミッタ間に印加される。トランジスタ４６は、印加されるベース・エミッタ間電圧の増大に伴い、導通度が増えていく。トランジスタ４６の導通度が増えていくのに伴い、発光ダイオード２８ａに流れる動作電流Ｉが零から徐々に増大していく。このときの動作電流Ｉの増大に伴うフォトトランジスタ２８ｂの出力電圧Ｖの変化を図４に示す。
【００２３】
すなわち、発光ダイオード２８ａに流れる動作電流Ｉが零から徐々に増大していくのに伴い、発光ダイオード２８ａの発光量が増えていく。発光量が増えていくと、やがて、光がサーマル用紙４を透過し、その透過光がフォトトランジスタ２８ｂに届くようになる。
【００２４】
光がサーマル用紙４を透過しないうちは、フォトトランジスタ２８ｂが光を受けずにオフしており、フォトトランジスタ２８ｂの出力電圧Ｖは高レベルを維持する。この出力電圧Ｖは基準電圧Ｖｓよりも高く、よって比較器４９の出力は低レベルとなる。
【００２５】
サーマル用紙４を透過した光がフォトトランジスタ２８ｂに届くと、フォトトランジスタ２８ｂがオンして、フォトトランジスタ２８ｂの出力電圧Ｖが下降していく。この出力電圧Ｖが基準電圧Ｖｓ以下になると、比較器４９の出力が高レベルとなる。
【００２６】
ＣＰＵ４０は、比較器４９の出力電圧Ｖを監視しており、出力電圧Ｖが下降を始めて予め定められている受光レベルＶｘ以下になると、そのときの動作電流Ｉを動作電流設定用の直流電圧の出力制御から把握し、把握した動作電流ＩをＩ１としてＲＡＭ４２に記憶する（第１手順）。また、ＣＰＵ４０は、出力電圧Ｖが受光レベルＶｘ以下となる直前の出力電圧Ｖを、Ｖ１としてＲＡＭ４２に記憶する（第２手順）。
【００２７】
続いて、発光ダイオード２８ａとフォトトランジスタ２８ｂとの間からサーマル用紙４を取り除き、その状態で、操作部４４の操作により、調整モードの継続を設定する。すると、ＣＰＵ４０からＤ／Ａコンバータ４３に送られる指令により、Ｄ／Ａコンバータ４３から出力されている動作電流設定用の直流電圧が徐々に減少していく。これに伴い、トランジスタ４６の導通度が減っていき、発光ダイオード２８ａに流れる動作電流Ｉが徐々に減少していく。このときの動作電流Ｉの減少に伴うフォトトランジスタ２８ｂの出力電圧Ｖの変化を図５に示す。
【００２８】
すなわち、発光ダイオード２８ａに流れる動作電流Ｉが徐々に減少していくのに伴い、発光ダイオード２８ａの発光量が減っていく。発光量が減っていくと、やがて、光がフォトトランジスタ２８ｂに届かなくなる。
【００２９】
光がフォトトランジスタ２８ｂに届いているうちは、フォトトランジスタ２８ｂがオンしており、フォトトランジスタ２８ｂの出力電圧が低レベルを維持する。
【００３０】
光がフォトトランジスタ２８ｂに届かなくなると、フォトトランジスタ２８ｂがオフして、フォトトランジスタ２８ｂの出力電圧が高レベルとなる。
【００３１】
ＣＰＵ４０は、出力電圧Ｖを監視しており、出力電圧Ｖが予め定められている非受光レベルＶｙ以上になると、そのときの動作電流Ｉを動作電流設定用の直流電圧の出力制御から把握し、把握した動作電流ＩをＩ２としてＲＡＭ４２に記憶する（第３手順）。また、ＣＰＵ４０は、出力電圧Ｖが非受光レベルＶｙ以上となる直前の出力電圧Ｖを、Ｖ２としてＲＡＭ４２に記憶する（第４手順）。
【００３２】
こうして、Ｉ１，Ｖ１，Ｉ２，Ｖ２を記憶すると、ＣＰＵ４０は、発光ダイオード２８ａの通常動作時の動作電流ＩをＩ１，Ｉ２の範囲内に設定し、かつフォトトランジスタ２８ｂの出力電圧Ｖに対する用紙判定用の基準電圧ＶｓをＶ１，Ｖ２の範囲内に設定する。具体的には、発光ダイオード２８ａの通常動作時の動作電流ＩをＩ１とＩ２の中間値である（Ｉ１＋Ｉ２）／２に設定し、かつフォトトランジスタ２８ｂの出力電圧Ｖに対する用紙判定用の基準電圧ＶｓをＶ１，Ｖ２の中間値である（Ｖ１＋Ｖ２）／２に設定する。
【００３３】
この設定により、発光ダイオード２８ａとフォトトランジスタ２８ｂとの間にサーマル用紙４が有るか無いかを、サーマル用紙４の厚さに合わせて適正に検知することができる。
【００３４】
ＣＰＵ４０は、設定した通常動作時の動作電流Ｉおよび用紙判定用の基準電圧Ｖｓのデータを、調整モードの設定に際してセットされたサーマル用紙４の種類・名称・型番等に対応付けて、ＲＡＭ４２内の用紙データベースに登録する。この登録をもって調整モードの終了となる。
【００３５】
用紙データベースには、種々のサーマル用紙４を含む複数の紙葉類に合わせた動作電流Ｉおよび基準電圧Ｖｓを登録しておくことができる。
【００３６】
一方、ＣＰＵ４０は、通常時、上位装置３１から特定の紙葉類が指定されると、その指定された紙葉類に対応する動作電流Ｉおよび基準電圧Ｖｓを用紙データベースから読み出し、それを用紙センサ２８に対し設定する。
【００３７】
したがって、用紙センサ２８の検知対象として、通帳、サーマル用紙、普通紙など、厚さの異なる種々の紙葉類が用いられる状況であっても、常に誤検知のない適正な紙葉類検知が可能となる。
【００３８】
なお、上記実施形態では、用紙センサ２８の調整についてのみ説明したが、通帳センサ２９の調整についても同様に実施可能である。また、ステートメントプリンタＳＴおよびパスブックプリンタＰＢからなるプリント装置を例に説明したが、これに限らず、複写機やファクシミリ装置など、紙葉類を光学的に検知する紙葉類センサを有するものであれば、他の装置や機器にも同様に適用可能である。その他、この発明は上記実施形態に限定されるものではなく、要旨を変えない範囲で種々変形実施可能である。
【符号の説明】
【００３９】
２…フェイシア部、４…サーマル用紙、５…第１搬送手段、６ａ，６ｂ…搬送路、７…サーマルプリント部、９ａ…ドットマトリクスヘッド、１０…第２搬送手段、１７…第１のサーマルヘッド、１８…第２のサーマルヘッド、１９…ブラックマーク検知部、１９ａ，１９ｂ…マークセンサ、Ｔ…通帳、ＳＴ…ステートメントプリンタ、ＰＢ…パスブックプリンタ、２８…用紙センサ（紙葉類センサ）、２８ａ…発光ダイオード（発光素子）、２８ｂ…フォトトランジスタ（受光素子）、２９…通帳センサ、３０…制御部、３１…上位装置、４０…ＣＰＵ、４１…ＲＯＭ、４２…ＲＡＭ、４３…Ｄ／Ａコンバータ、４４…オペアンプ、４６…ＮＰＮ型トランジスタ、４９…比較器
【先行技術文献】
【特許文献】
【００４０】
【特許文献１】特開２００８−１３２８９号公報
【図１】
2010215375.tif 000003
【図２】
2010215375.tif 000004
【図３】
2010215375.tif 000005
【図４】
2010215375.tif 000006
【図５】
2010215375.tif 000007